(57)【要約】本発明に従ったシステム（１）は、通電ロード（２）及び誘導給電装置（９）を有し、また、誘導原巻線（６）を更なる誘導原巻線（９ｂ）に対して位置合わせするよう更なる導体（９ａ）と相互に作用するよう導体（４）上に配置される永久磁石（８）を有する。誘導電力を受けることができる通電ロード（２）は、変圧器の第２の巻線を形成するよう導体（４）と協働する巻線（６）を有する。誘導エネルギ伝達に対するシステムを形成するよう、通電ロード（２）は、誘導給電装置（９）上に置かれ、表面（２ａ）が表面（７）に接触する。誘導給電装置（９）は、更なる巻線（９ｂ）を備えられる更なる磁化導体（９ａ）を有し、故にスプリットコア変圧器の第１の巻線を形成する。巻線（６）が更なる巻線（９ｂ）の近くにおいてもたらされる際、更なる磁化導体（９ａ）上で作用する磁力は、巻線（６）及び更なる巻線（９ｂ）の瞬時の適切な相互位置合わせを与える。本発明は更に、通電ロードに対する誘導エネルギ伝達を可能にする方法、誘導ロード、及び誘導給電装置に係る。
2008536461.tif 000002
【特許請求の範囲】
【請求項１】
誘導給電装置から通電ロードまでの誘導電力伝達を可能にするシステムであって、
前記通電ロードは、磁化導体と協働する誘導原巻線を有し、
前記誘導給電装置は、更なる磁化導体と協働する更なる誘導巻線を有し、前記更なる誘導巻線は、スプリットコア変圧器を形成することを目的として前記誘導原巻線と相互に作用するよう想到され、
形成される前記スプリットコア変圧器は、前記誘導原巻線を前記更なる誘導原巻線に対して位置合わせするよう、前記磁化導体又は前記更なる磁化導体上に磁力を与えるよう想到される永久磁石を有して配置される、
システム。
【請求項２】
前記永久磁石は、更なる磁化材料において配置される、
請求項１記載のシステム。
【請求項３】
前記通電ロードは、着用可能な物品において一体的にされる、
請求項１又は２記載のシステム。
【請求項４】
磁化導体と協働する誘導原巻線を有する通電ロードに対する無線電力伝達に対する誘導給電装置であって：
・  更なる磁化導体と；
・  更なる誘導巻線と、
を有し、
前記更なる誘導巻線は、前記更なる磁化導体と協働し、変圧器を形成することを目的として前記誘導原巻線と相互に作用するよう想到され、
前記更なる磁化導体は、前記磁化導体と協働するよう永久磁石を有し、それによって前記誘導原巻線を前記更なる誘導原巻線に対して位置合わせする、
誘導給電装置。
【請求項５】
前記永久磁石は、前記更なる磁化導体の中心部において実質的に配置される、
請求項４記載の誘導給電装置。
【請求項６】
磁化材料と協働する誘導原巻線を有する通電ロードであって、
請求項１乃至３において記載される前記システムの一部を形成するよう想到される、
通電ロード。
【請求項７】
前記通電ロードは、データを測定するシステムを更に有する、
請求項６記載の通電ロード。
【請求項８】
前記システムは、バイタルサインを監視するよう配置される、
請求項７記載の通電ロード。
【請求項９】
誘導給電装置から通電ロードまでの誘導電力伝達を可能にする方法であって、
前記通電ロードは、磁化導体と協働する誘導原巻線を有し、
前記誘導給電装置は、更なる磁化導体と協働する更なる誘導巻線を有し、前記更なる誘導巻線は、スプリットコア変圧器を形成することを目的として前記誘導原巻線と相互に作用するよう想到され、
形成される前記スプリットコア変圧器は、前記誘導原巻線と前記更なる誘導原巻線とを相互に位置合わせするよう、前記磁化導体又は前記更なる磁化導体上に磁力を与えるよう想到される永久磁石を有して配置され：
・  前記スプリットコア変圧器を形成するよう前記更なる誘導原巻線の近くに前記誘導原巻線をもたらし、前記相互の位置合わせを可能にする段階と；
・  前記誘導給電装置から前記通電ロードまでの電力伝達を可能にする段階と、
を有する、
方法。
【請求項１０】
前記通電ロードに対して、データを測定するシステムが選択され、
・  前記誘導給電装置から前記通電ロードを取り外す段階と；
・  前記通電ロードを有してデータ測定を実行する段階と、
を更に有する、
請求項９記載の方法。
【発明の詳細な説明】
【技術分野】
【０００１】
本発明は、誘導給電装置（ｉｎｄｕｃｔｉｖｅ  ｐｏｗｅｒｉｎｇ  ｄｅｖｉｃｅ）から通電ロード（ｅｎｅｒｇｉｚａｂｌｅ  ｌｏａｄ）までの誘導電力伝達（ｉｎｄｕｃｔｉｖｅ  ｐｏｗｅｒ  ｔｒａｎｓｆｅｒ）を可能にするシステムに係る。該通電ロードは、磁化導体（ｍａｇｎｅｔｉｚａｂｌｅ  ｃｏｎｄｕｃｔｏｒ）と協働する誘導原巻線（ｉｎｄｕｃｔｏｒ  ｗｉｎｄｉｎｇ）を有する。誘導給電装置は、更なる磁化導体と協働する更なる誘導巻線（ｉｎｄｕｃｔｉｖｅ  ｗｉｎｄｉｎｇ）を有し、該更なる誘導巻線は、スプリットコア変圧器（ｓｐｌｉｔ−ｃｏｒｅ  ｅｌｅｃｔｒｉｃ  ｔｒａｎｓｆｏｒｍｅｒ）を形成することを目的として誘導原巻線と相互に作用するよう想到される。
【０００２】
本発明は更に、磁化導体と協働する誘導原巻線を有する通電ロードに対する無線電力伝達に対する誘導給電装置に係る。当該給電装置は、
・  更なる磁化導体、及び、
・  更なる誘導巻線、
を有する。該更なる誘導巻線は、更なる磁化導体と協働し、変圧器を形成することを目的として誘導原巻線と相互に作用するよう想到される。
【０００３】
本発明は更に、磁化材料と協働する誘導原巻線を有する通電ロードに係る。該通電ロードは、前述されたシステムの一部を形成するよう想到される。
【０００４】
本発明は更に、誘導給電装置から通電ロードまでの誘導電力伝達を可能にする方法に係る。該通電ロードは、磁化導体と協働する誘導原巻線を有する。誘導給電装置は、更なる磁化導体と協働する更なる誘導巻線を有し、該更なる誘導巻線は、スプリットコア変圧器を形成することを目的として誘導原巻線と相互に作用するよう想到される。
【背景技術】
【０００５】
冒頭に記載されるシステムの一実施例は、ＥＰ  ０  ８２３  ７１７  Ａ２（特許文献１）より既知である。該既知のシステムは、特には電気自動車の充電式電池の充電を外部電源を用いて可能にするよう配置される。外部電源及び充電式電池は、スプリットコア変圧器を形成するよう配置される。形成されたスプリットコア変圧器の夫々の部分を位置合わせするよう、既知の誘導給電装置及び既知の通電ロードはいずれも、複数の永久磁石を有し、一式の永久磁石は、誘導給電装置の側部上に配置され、更なる一式の永久磁石は、通電ロードの側部上に配置される。既知の永久磁石の配置は、永久磁石の夫々のユニット間の協働を可能にするよう与えられる。該磁石は、夫々の極に対して空間において適合して方向付けられなければならない。また、第１の一式の永久磁石及び更なる一式の永久磁石は、磁化導体及び更なる磁化導体の周辺において位置付けられ、それらの上に実質的に磁力は与えられない。
【０００６】
誘導電力伝達に対する既知のシステムの不利点は、夫々の一式の永久磁石の互換性のある空間的配置が求められる点であり、その結果として既知のシステムは、可能性のある多種の潜在的に通電可能なロードに対して汎用ではない。
【特許文献１】ＥＰ  ０  ８２３  ７１７  Ａ２
【発明の開示】
【発明が解決しようとする課題】
【０００７】
本発明は、通電ロードに対する誘導エネルギ伝達を可能にするシステムを与える、ことを目的とする。当該システムは、外部通電ロードに適合する。
【課題を解決するための手段】
【０００８】
これを達成するよう、本発明に従ったシステムにおいて、形成されるスプリットコア変圧器は、誘導原巻線を更なる誘導原巻線に対して位置合わせするよう磁化導体又は更なる磁化導体上に磁力を与えるよう想到される永久磁石を有して配置される。
【０００９】
本発明の技術的計測は、システムを形成する構成部品の汎用互換性を可能にするには、誘導給電装置又は通電ロードのいずれか一方の構成部品の側部上のみに永久磁石を供給することで十分である、という考察に基づく。望ましくは、永久磁石は、大半の場合は固定ユニットである誘導給電装置の側部における更なる磁化導体において一体にされる。この場合は、
永久磁石は、特には置換可能通電ロードである通電ロードの磁化導体上に磁力を与える。故に、磁化導体を有する通電ロードは、誘導給電装置を有するスプリットコア変圧器を容易に形成し、誘導巻線と更なる誘導巻線との間の相互的な位置合わせは、永久磁石の磁力により達成される。望ましくは、通電ロードは、センサ又は時計等である他の装置、あるいは血圧又は心拍数を測定する装置としてとして実行される。更に望ましくは、通電ロードは、ベルト又はＴシャツ等である着用可能な物品において一体にされる。この場合、通電ロードは、補助的磁石による過剰な重量を有さず、故に使用が快適である。あるいは、人によって着用されずテーブル上又は患者用ベッドの傍ら等の人の近くに位置付けられるよう想定される、通電可能な電子機器（ｅｎｅｒｇｉｚａｂｌｅ  ｅｌｅｃｔｒｏｎｉｃ  ｅｑｕｉｐｍｅｎｔ）であり得る。本発明に従ったシステムの更に有利な詳細は、図１を参照して説明される。
【００１０】
本発明に従った誘導給電装置において、更なる磁化導体は、磁化導体と協働するよう永久磁石を有し、それによって誘導原巻線を更なる誘導原巻線に対して位置合わせする。
【００１１】
技術的計測は、誘導充電を与える磁気回路へと永久磁石を一体化することによって、有利な相乗効果が達成される、という考察に基づく。永久磁石は、スプリットコア変圧器を形成する２つの構成部品が自動的に位置合わせするか、あるいはともに掴まれる（ｃｌｕｔｃｈ  ｔｏｇｅｔｈｅｒ）程度まで磁力を増大する。望ましくは、永久磁石は、更なる磁化導体の中心部において実質的に配置される。本発明に従った誘導給電装置の更なる有利な詳細は、図２を参照して説明される。
【００１２】
本発明に従った通電ロードは、磁化材料と協働する誘導原巻線を有する。該通電ロードは、上述された通り、システムの一部を形成するよう想到される。望ましくは、通電ロードはセンサ又は時計等である他の装置、あるいは、血圧又は心拍数を測定する装置として実行される。更に望ましくは、通電ロードは、ベルト又はＴシャツ等の着用可能な物品において一体にされる。あるいは、通電ロードは、人によって着用されずテーブル又は患者用ベッドの傍ら等である人の近くに位置付けられるよう想到される通電電子機器として実行され得る。望ましくは、通電ロードが実質的に平坦な構造において実行される場合において、通電ロードは、フェライト板をそなえられる誘導巻線を有し、また、上述された通り、永久磁石を有する誘導給電装置と協働するよう想到される。更に望ましくは、通電ロードは、特にはバイタルサインを監視する、データを測定するシステムを有する。
【００１３】
あるいは通電ロードは、永久磁石を有し得、また、永久磁石の形状である位置合わせ手段を有さない誘導給電装置と協働するよう想到され得る。かかる通電ロードは依然として、実質的に平坦な構造として実施され得、着用可能な物品において組み込まれ得、特にはバイタルサインを監視する、データを測定する装置を有する。通電ロードの更なる有利な詳細は、図３及び４を参照して説明される。
【００１４】
本発明の方法において、形成されるスプリットコア変圧器は、誘導原巻線と更なる誘導原巻線とを相互に位置合わせするよう、磁化導体又は更なる磁化導体上に磁力を与えるよう想到される永久磁石を有して配置される。当該方法は、
・  スプリットコア変圧器を形成するよう更なる誘導原巻線の近くに誘導原巻線をもたらし、相互の位置合わせを可能にする段階、及び、
・  誘導給電装置から通電ロードまでの電力伝達を可能にする段階、
を有する。
【００１５】
本発明に従った方法の更なる有利な一実施例は、請求項１０を参照して記載される。本発明に従った方法は、患者の監視を実施する病院、スポーツセンター、又は他の産業実体において実施され得る。
【発明を実施するための最良の形態】
【００１６】
図１は、本発明に従った誘導電力伝達に対するシステムの一実施例の概略図を示す。システム１は、通電ロード２及び誘導給電装置９を有する。この特定の実施例において、永久磁石８は、導体４上で、実質的にその中心において配置される。誘導電力受理を可能にする通電ロード２は、変圧器の第２の巻線を形成するよう導体４と協働する、巻線６を有する。通電ロードの複数の可能な実施例は、充電可能な携帯型電子機器を含めて想定される。望ましくは、通電ロード２は、適切なバイタルサインを測定及び／又は監視する着用可能なユニットを形成するよう配置される。この場合、通電ロードは、ベルト、バンド、着用可能な衣服の一部分等として実行され得る。データ測定及び／又は監視を目的として、通電ロード２は、再充電式電池３と電気的に接続して配置されるデータ測定ユニット５を更に有する。データ測定及び／又は監視システムの実施の詳細は、当業者には既知であり、ここでは詳細に説明されない。
【００１７】
誘導エネルギ伝達に対するシステムを形成するよう、通電ロード２は、誘導給電装置９上に置かれ、故に表面２ａが表面７と接触するようにされる。誘導給電装置９は、更なる巻線９ｂを備えられる更なる磁化導体９ａを有し、故にスプリットコア変圧器の第１の巻線を形成する。巻線６が更なる巻線９ｂの近くにもたらされる際、更なる磁化導体９ａ上で作用する磁力は、巻線６及び更なる巻線９ｂの瞬時で適切な相互位置合わせを与える。
【００１８】
図２は、本発明に従った誘導給電装置の一実施例の概略図を示す。この実施例は、通電ロード２１が誘導給電装置２２と位置を合わせられる際の本発明に従ったシステム２０の断面を示す。この実施例では、永久磁石２９が更なる巻線２８ａ，２８ｂを備えられるＥ字型の更なる磁化導体２６の中心部において実質的に配置される際に、解決策が示される。この解決策が特に有利であるのは、通電ロード２１が過剰重量を有すべきではない際であり、例えば、通電ロード２１が適切な監視システムの一部を形成し、常時着用されるよう設計される際である。この場合、通電ロードは、Ｔシャツ、（スポーツ用）ブラジャー、ベルト、アームバンド等である適切な着用可能な物品において一体的にされ得る。この場合は、磁化導体がフェライト材料を有する可撓性の板を有することが望ましく、着用する個人の身体に対する通電ロード２１の優れた一致性を可能にする。通電ロード２１の相対的な寸法は明確にするよう誇張されていることが留意される。誘導給電装置２２は、通電ロードの制御された給電を可能にするよう適切な電子機器２４ａ，２４ｂ，２４ｃ，２４ｄを更に有し得る。該装置は更に、それによって給電され得る異なるロード間を区別するよう、配置され得る。
【００１９】
図３は、本発明に従った通電ロードの一実施例の概略図を示す。前述された通り、複数の適切な通電ロードが可能である。この特定の実施例は、弾性的なベルト等である着用可能な物品３０ａの一部に一体的にされる監視システム３０が示される。監視システム３０は、望ましくは可撓性のプリント基板３１上に製造される、誘導原巻線３２を有する。誘導原巻線３２が変圧器の脚部を取り囲むよう厳密に求められるより更に伸張し得る、ことが留意されなければならない。この特徴は、誘導原巻線がプレーシングエラーに対してより高い耐性（ｈｉｇｈｅｒ  ｔｏｌｅｒａｎｃｅ  ｔｏ  ｐｌａｃｉｎｇ  ｅｒｒｏｒｓ）を得る、という利点を有し、故に、無線電力伝達の信頼性を高める。更に望ましくは、ボード３１は、遮水ユニット３４において密封され、監視システム全体は、水洗可能であり得る。この特徴は特には、健康関連のパラメータ等の連続的な監視に対して配置される監視システムに対して有利である。監視システム３０が適切な無線給電装置のコアの位置合わせに対して磁気手段を有して配置される場合、永久磁石３３は、望ましくはスプリットコア変圧器の形成される第１の巻線の中心部において、位置付けられる。電流が誘導原巻線３２において誘導される際、例えば、受信回路（ｒｅｃｅｉｖｅｒ  ｃｉｒｃｕｉｔ）において再充電式電池３７を充電するよう使用され得る。電池３７に対して誘導電流を適合させるよう、電子回路３６は使用される。この電子回路は、簡潔には、誘導交流電流を直流充電電流に変換するよう整流器３８ｂを有する。より高度な解決策において、この回路は、充電電流及び充電時間を制御し、電池タイプに対して専用のロードスキームを管理することができる、充電制御回路３８を有する。また、この回路は、充電工程の状態に対するインジケータ３９を有し得る。システム３９は更に、データを測定するよう配置されるシステム３５を有する。望ましくは、バイタルサインに関連付けられる、血圧、心拍数、呼吸数等であるデータは、測定される。電磁回路が閉じられるため、監視システム３０は、少量のみの磁場の外部放射線を誘導する。放射線は、やはり変圧器を有する標準的な有線充電器の放射線と同程度である。
【００２０】
図４は、本発明に従った通電ロードの更なる一実施例の概略図を示す。本発明に従った着用可能な監視システム４０は、個人Ｐに対するボディウェア４１として配置される。監視システム４０は、適切な検出手段４５を支持するよう配置される可撓性の担体４３を有する。望ましくは、着用快適性を向上するよう、担体４３は、弾性のベルトとして実行され、そこには、例えば複数の電極（図示せず）が取り付けられる。この実施例においてはＴシャツが図示されるが、制限的ではなく下着、ブラジャー、靴下、手袋、帽子を含む他の適切な着用するものが可能である、ことは留意されなければならない。検出手段４５は、個人Ｐの生理的状態を示す信号を測定するよう配置される。望ましくは、誘導原巻線は、螺旋形状である適切な着用可能な布地へと織り込まれるか、あるいは縫い付けられる。この解決策は、最も快適であり且つ可撓性がある。かかる監視の目的は、例えば体温、心臓の状態、呼吸数、又は他の適切なパラメータを監視する、医学的なものであり得る。あるいは、監視の目的は、運動関連又はスポーツ関連であり得、個人Ｐの活動が監視されることを意味する。この目的に対して、検出手段４５は、個人の皮膚と接触するようにされる。担体４３の弾性により、検出手段は、個人Ｐの運動中に実質的にそれを適所に維持する接触圧力を受ける。測定された信号は、信号解析又は他のデータ処理の目的で検出手段４５から制御ユニット４７まで送られる。制御ユニット４７は、適切な警報手段（図示せず）に対して結合され得る。本発明に従った監視システム４５は、無線エネルギ伝達を使用して通電可能であるよう配置される、導体ループ４９を更に有する。このエネルギは、図１中に示される通り、無線誘導給電装置から受けられ得、故に無線誘導給電装置を形成し、よって手段は、前述された通り、変圧器巻線の瞬時の相互的位置合わせに対して与えられる。
【図面の簡単な説明】
【００２１】
【図１】本発明に従った誘導電力伝達に対するシステムの一実施例の概略図である。
【図２】本発明に従った誘導給電装置の一実施例の概略図である。
【図３】本発明に従った通電ロードの一実施例の概略図である。
【図４】本発明に従った通電ロードの更なる一実施例の概略図である。
【図１】
2008536461.tif 000003
【図２】
2008536461.tif 000004
【図３】
2008536461.tif 000005
【図４】
2008536461.tif 000006
【国際調査報告】
2008536461.tif 000007
2008536461.tif 000008
2008536461.tif 000009